(57)【要約】    本発明は、シートベルトバックル（１）と、シートベルトバックル（１）に挿入され得るベルト舌部（２）と、を備えるシートベルトバックルシステムであって、ＲＦＩＤ応答器（３）が、ベルト舌部（２）の中又は上に配置され、ＲＦＩＤ読み取りユニット（４）が、シートベルトバックル（１）内に配置され、かつＲＦＩＤ読み取りユニット（４）とＲＦＩＤ応答器（３）との間の結合が、ベルト舌部（２）がシートベルトバックル（１）内に挿入されている場合にのみ可能であるような方法で設計されていることを特徴とする、シートベルトバックルシステムに関する。  【選択図】図３
2021507842.tif 000002
【特許請求の範囲】
【請求項１】
シートベルトバックル（１）と、前記シートベルトバックル（１）内に挿入され得るベルト舌部（２）と、を備えるシートベルトバックルシステムであって、ＲＦＩＤ応答器（３）が、前記ベルト舌部（２）の中又は上に配置され、ＲＦＩＤ読み取りユニット（４）が、前記シートベルトバックル（１）内に配置され、かつ前記ＲＦＩＤ読み取りユニット（４）と前記ＲＦＩＤ応答器（３）との間の結合が、前記ベルト舌部（２）が前記シートベルトバックル（１）内に挿入されている場合にのみ可能であるような方法で設計されていることを特徴とする、シートベルトバックルシステム。
【請求項２】
前記ＲＦＩＤ応答器（３）が、前記ベルト舌部（２）の中又は上に配置され、前記ＲＦＩＤ読み取りユニット（４）が、前記シートベルトバックル（１）内に配置され、かつ前記ＲＦＩＤ読み取りユニット（４）と前記ＲＦＩＤ応答器（３）との間の結合が、前記ベルト舌部（２）が前記ＲＦＩＤ応答器（３）の前記配置によって事前決定された向きで前記シートベルトバックル（１）内に挿入された場合にのみ可能であるような方法で設計されている、請求項１に記載のシートベルトバックルシステム。
【請求項３】
前記ＲＦＩＤ応答器（３）が、前記シートベルトバックル（１）内に挿入され得る前記ベルト舌部（２）のセクションの中又は上に配置されている、請求項１又は２に記載のシートベルトバックルシステム。
【請求項４】
前記ＲＦＩＤ応答器（３）が、前記ベルト舌部（２）の金属プレート（５）の中又は上に、特に前記プレート（５）に形成された止まり穴内に配置されている、請求項３に記載のシートベルトバックルシステム。
【請求項５】
前記ＲＦＩＤ応答器（３）が、前記挿入状態で前記シートベルトバックル（１）内に延在する、前記ベルト舌部（２）のプラスチックオーバーモールド（６）のセクションの中又は上に配置されている、請求項３に記載のシートベルトバックルシステム。
【請求項６】
前記ＲＦＩＤ応答器（３）が、前記ベルト舌部（２）の金属プレート（５）に装着するために、かつ前記プレート（５）からの離間のために、プラスチックハウジング（８）内に配置されている、請求項１〜５のいずれか一項に記載のシートベルトバックルシステム。
【請求項７】
前記ハウジング（８）が、特にラッチ接続によって、力嵌め及び／又はポジティブロック様式で前記プレート（５）に締結され得る、請求項６に記載のシートベルトバックルシステム。
【請求項８】
前記ハウジング（８）が、前記ベルト舌部（２）のプラスチックオーバーモールド（６）によって少なくとも部分的にオーバーモールドされている、請求項６又は７に記載のシートベルトバックルシステム。
【請求項９】
前記ＲＦＩＤ読み取りユニット（４）の伝送電力が、前記ＲＦＩＤ応答器（３）との結合が最大３ｃｍの距離でのみ可能であるように非常に低いことを特徴とする、請求項１〜８のいずれか一項に記載のシートベルトバックルシステム。
【請求項１０】
前記シートベルトバックル（１）が、前記ＲＦＩＤ読み取りユニット（４）又は前記ＲＦＩＤ応答器（３）によって放出される放射が少なくとも一方向に少なくとも減衰され、その結果、前記ＲＦＩＤ応答器（３）と前記ＲＦＩＤ読み取りユニット（４）との間の結合が、前記ベルト舌部（２）が外側から前記シートベルトバックル（１）に保持されているときに可能ではないような方法で設計されている、請求項１〜９のいずれか一項に記載のシートベルトバックルシステム。
【請求項１１】
少なくとも１つの遮蔽プレートが、前記シートベルトバックル（１）内に配置されている、請求項１０に記載のシートベルトバックルシステム。
【請求項１２】
前記ＲＦＩＤ読み取りユニット（４）が、前記ＲＦＩＤ応答器（３）と結合されたときに離散信号を出力する、請求項１〜１１のいずれか一項に記載のシートベルトバックルシステム。
【請求項１３】
前記ＲＦＩＤ読み取りユニット（４）が、車両ＢＵＳシステムに接続され得る、請求項１〜１１のいずれか一項に記載のシートベルトバックルシステム。
【請求項１４】
前記シートベルトバックル（１）内に挿入された前記ベルト舌部（２）を検知するための追加のスイッチ又はセンサが提供されない、請求項１〜１３のいずれか一項に記載のシートベルトバックルシステム。
【発明の詳細な説明】
【技術分野】
【０００１】
本発明は、シートベルトバックルと、シートベルトバックル内に挿入され得るベルト舌部と、を備えるシートベルトバックルシステムに関する。
【背景技術】
【０００２】
スイッチがシートベルトバックル内に配置され、それにより、シートベルトバックルへのベルト舌部の挿入が検知され得ることが知られている。このスイッチに起因して、運転者は、バックルが装着されていないときに、光学的及び／又は音響的警告を受けるということが可能である。一部の運転者は、警告を回避するために、偽の舌部又は助手席のベルト舌部をシートベルトバックル内に挿入することが分かっている。このような行為は非常に危険である。加えて、バックルスイッチの信号は、人が運転者シートに存在することを検知するために頻繁に使用され、それによって、車両の特定の機能が起動される可能性がある。したがって、シートベルトバックルに割り当てられていないベルト舌部がシートベルトバックル内に挿入された場合にも、警告を発する必要がある。
【０００３】
独国特許第１０２００６０５５１４１（Ａ１）号は、シートベルトバックル内のスイッチを有するシートベルトバックルシステムを開示している。バックルスイッチはＲＦ識別タグに接続されており、その発光可能な識別信号は、シートベルトバックルの状態がＲＦ識別タグを介して車両制御システムに無線で送信され得るように、バックルスイッチのスイッチング状態に基づいて変更される。しかしながら、バックルスイッチと組み合わせたこのようなＲＦ識別タグの使用は、実際にはシートベルトバックルに関連付けられていないベルト舌部が、ＲＦ識別タグによって検知された状態を変化させるために使用されることを排除するものではない。
【発明の概要】
【０００４】
したがって、本発明の目的は、従来技術を参照して記載された欠点を排除し、特にシートベルトバックルに割り当てられたベルト舌部がシートベルトバックル内に挿入されていることを確実に認識するシートベルトバックルシステムを特定することである。
【０００５】
この目的は、独立請求項の特徴を有するシートベルトバックルシステムによって達成される。シートベルトバックルシステムの有利な展開は、従属請求項及び明細書に規定されており、有利な展開の個別の特徴は、技術的に賢明な様式で所望に応じて互いに組み合わせることができる。
【０００６】
この目的は、特に、ＲＦＩＤ応答器が、ベルト舌部の中又は上に配置され、ＲＦＩＤ読み取りユニットが、シートベルトバックル内に配置され、かつＲＦＩＤ読み取りユニットとＲＦＩＤ応答器との間の結合は、ベルト舌部がシートベルトバックル内に挿入された場合にのみ可能であるような方法で設計されている、前述の特徴部を有するシートベルトバックルシステムによって達成される。
【０００７】
それぞれのベルト舌部を識別するコードは、ＲＦＩＤ応答器に記憶され得、このようなコードは、ＲＦＩＤ読み取りユニットによって無線で読み取られ得るので、対応するシートベルトバックルに関連付けられているベルト舌部のみが、挿入状態でそのように識別されるということが保証され得る。このようなＲＦＩＤ技術は、十分に知られている。タグ又はチップとも呼ばれるＲＦＩＤ応答器は、ＲＦＩＤ読み取りユニットによって生成された電磁場を介して起動され、エネルギーを供給される。起動後、応答器は、内部に記憶された情報を読み取り装置に送信する。近距離通信（Near-field communication、ＮＦＣ）はＲＦＩＤ技術のサブグループであり、伝送規格は近距離通信によって定義される。
【０００８】
ベルト舌部がシートベルトバックルに挿入されておらず、シートベルトバックルの外側にのみ配置されている場合に、応答器と読み取りユニットとの間の結合が起こらないことも保証するために、異なる手段をとることができる。
【０００９】
例えば、ＲＦＩＤ応答器は、シートベルトバックル内に挿入され得るベルト舌部のセクションの中又は上に配置することができる。挿入され、特に係止された状態では、ＲＦＩＤ応答器はしたがって、シートベルトバックル内に直接配置され、特に、シートベルトバックルの読み取りユニットから非常に短い距離に配置される。挿入又は係止された状態では、この距離は、例えば、３ｃｍ（センチメートル）以下、好ましくは１ｃｍ以下、特に好ましくは０．５ｃｍ以下である。
【００１０】
このような配置は、例えば、ＲＦＩＤ応答器をベルト舌部の金属プレートの中又は上に配置することによって達成することができる。一般に、ベルト舌部は金属プレート本体を有し、その領域はバックルが装着された状態でシートベルトバックルの外側に配置されており、プラスチックオーバーモールドによって包囲されている。
【００１１】
ＲＦＩＤ応答器は、例えば、プレートを完全に通過しない、例えば止まり穴の様式で、凹部内に配置することができる。したがって、ＲＦＩＤ応答器によって放出される放射は、凹部又は止まり穴の開口部の方向に方向付けられるということも保証される。対照的に、放射は、少なくとも減衰されることなく、反対方向に（金属を通って）移動することができない。
【００１２】
このように、ＲＦＩＤ応答器とＲＦＩＤ読み取りユニットとの間の結合は、ベルト舌部が事前決定された向きでシートベルトバックルに挿入された場合にのみ、特に、プレートの一方の側に配置されたＲＦＩＤ応答器がシートベルトバックル内に配置されたＲＦＩＤ読み取りユニットに面する場合にのみ起こるということも保証され得る。
【００１３】
ＲＦＩＤ応答器がまた、バックルが装着された状態でシートベルトバックル内に配置されることも保証するために、ＲＦＩＤ応答器は、ベルト舌部のプラスチックオーバーモールドのセクションの中又は上に配置することができ、このセクションは、ベルト舌部の挿入状態でシートベルトバックル内に延在する。ＲＦＩＤ応答器はオーバーモールドのセクションに埋め込むことができるが、オーバーモールドの対応するセクションに、例えば、接着剤で接着して適用することもできる。
【００１４】
ベルト舌部の組み立てを簡略化するために、ＲＦＩＤ応答器は、ベルト舌部の金属プレートに取り付けるために（具体的に、事前に締結するために）、かつプレートから離間するために、プラスチックハウジング内に配置されるということが提供され得る。
【００１５】
特に、ＲＦＩＤ応答器を担持するハウジングを事前に締結するために、ハウジングが、プレートに、特に、ラッチ接続の手段によって、力嵌め及び／又はポジティブロック様式で締結され得るということが提供され得る。この目的のために、ハウジングは、例えば、プレート内の貫通孔を通して挿入され、かつ挿入状態で、ハウジング及びしたがってＲＦＩＤ応答器もその位置に（事前に）締結する、ラッチフックを有することができる。
【００１６】
加えて、最初にプレートに事前に締結されたハウジングは、ベルト舌部のプラスチックオーバーモールドによって少なくとも部分的に包囲されているということが提供され得る。ハウジング及びしたがってＲＦＩＤ応答器は、ハウジングの少なくとも部分的なオーバーモールドによってプレートに捕捉的に締結され得る。この接続では、応力を回避するために、ハウジングのプラスチック及びオーバーモールドのプラスチックが同じ材料で構成されている場合が特に好ましい。
【００１７】
プラスチックハウジングを使用することにより、ＲＦＩＤ応答器とプレートとの間の導電性接続は、したがって、最初に防止され得る一方で、同時にＲＦＩＤ応答器が、プレートに（事前に）締結され得る。したがって、ベルト舌部を製造するための方法も提案されており、この方法では、ＲＦＩＤ応答器を有するプラスチックハウジングは、最初に、金属プレートにポジティブロック及び／又は力嵌め様式で事前に締結され、その後、プラスチックでもあるオーバーモールドによって少なくとも部分的にオーバーモールドされる。
【００１８】
ＲＦＩＤ応答器とＲＦＩＤ読み取りユニットとの間の結合が、ベルト舌部がシートベルトバックルに挿入されたときにのみ起こることを保証するために、ＲＦＩＤ読み取りユニットの最大伝送電力が、ＲＦＩＤ応答器との結合が、ＲＦＩＤ応答器とＲＦＩＤ読み取りユニットとの間の距離が３ｃｍ未満、好ましくは１ｃｍ未満、非常に好ましくは０．５ｃｍ未満である場合にのみ可能であるように非常に低いということが提供され得る。
【００１９】
しかしながら、ベルト舌部が挿入されていないときの結合を防止することは、シートベルトバックル上の構造的手段によって達成することもできる。したがって、シートベルトバックルは、ＲＦＩＤ読み取りユニット又はＲＦＩＤ応答器によって放出された放射が少なくとも一方向に少なくとも減衰されるように設計することができ、その結果、ＲＦＩＤ応答器とＲＦＩＤ読み取りユニットとの間の結合が、ベルト舌部が外側からシートベルトバックルに保持されているときに可能ではなくなるような方法で設計することができる。例えば、ＲＦＩＤ読み取りユニットは、その放出特性を有するように設計することができ、かつ／又はＲＦＩＤ応答器は、結合が、ベルト舌部がシートベルトバックル内に挿入された場合にのみ可能であるような方法で、その放出特性を用いて設計することができる。この場合、ベルト舌部が挿入されたときに、シートベルトバックルの外側に配置されたベルト舌部の領域に配置されるということさえ考えられるであろう。
【００２０】
このような構造的手段は、特に、シートベルトバックル内に配置された少なくとも１つの遮蔽プレートによって達成することができる。しかしながら、このような遮蔽はまた、シートベルトバックル内に通常位置するシート金属部品の対応する配置によってもたらされ得る。
【００２１】
シートベルトバックルに割り当てられたベルト舌部の識別が、ＲＦＩＤ読み取りユニットを介して可能であるだけでなく、ＲＦＩＤ読み取りユニットによっても判定することができる場合、シートベルトバックル及びベルト舌部の設計に起因して、ベルト舌部がシートベルトバックル内に挿入されることにより、シートベルトバックル内に挿入されたベルト舌部を検知するための追加のスイッチ又はセンサを不要とすることができる。
【００２２】
ＲＦＩＤ読み取りユニットが従来のスイッチを容易に置き換えることができるように、ＲＦＩＤ読み取りユニットが、ＲＦＩＤ応答器と結合されたときに、離散信号、例えば数ミリアンペアの電流を出力するような方法で構成されている。しかし、結合されていない状態では、ＲＦＩＤ読み取りユニットは異なる離散信号を出力する。
【００２３】
しかしながら代替的に、ＲＦＩＤ読み取りユニットが車両ＢＵＳシステムに接続され得るということも提供され得る。
【図面の簡単な説明】
【００２４】
本発明及び技術的環境は、図を参照して、例として以下に説明される。以下に概略的に示す。
【図１】バックルが取り外された状態のシートベルトバックルシステムである。
【図２】シートベルトバックル内に挿入されたベルト舌部を有するバックルが装着された状態のシートベルトバックルシステムである。
【図３】シートベルトバックルのハウジングを有しないバックルが装着された状態のシートベルトバックルシステムである。
【図４】ベルト舌部の更なる実施形態である。
【図５】ベルト舌部が挿入されたときのシートベルトバックルを通した部分断面図である。
【図６】図５の例示の詳細図である。
【図７】ＲＦＩＤ応答器を有するハウジングと組み立てる前のベルト舌部のプレートである。
【図８】図７によるプレート及びＲＦＩＤ応答器を備えるベルト舌部である。
【発明を実施するための形態】
【００２５】
図１〜図３及び図５及び図６に示されるシートベルトバックルシステムは、シートベルトバックル１と、ベルト舌部２と、を備える。ベルト舌部２は、金属プレート５と、プレート５を部分的に包囲するプラスチックオーバーモールド６と、を有する。ＲＦＩＤ応答器３が締結される止まり穴は、バックルが装着された状態でシートベルトバックル１に挿入されたプレート５のセクションに形成される。
【００２６】
図３、図５、及び図６では、シートベルトバックルシステムは、ベルト舌部２の挿入状態で示され、ベルト舌部２は、シートベルトバックル１内に係止されている。ただし、シートベルトバックル１のハウジングは示されていない。ＲＦＩＤ読み取りユニット４は、シートベルトバックル１内に配置されていることが分かる。プレート５の止まり穴内に配置されたＲＦＩＤ応答器３は、プレート５のＲＦＩＤ読み取りユニット４に面する側に配置されている（図５及び図６を参照）。ＲＦＩＤ読み取りユニット４の伝送電力が低く、挿入状態にあるＲＦＩＤ応答器３までの距離が短いことに起因して、両者の間の結合は、ベルト舌部２が正しい向きでシートベルトバックル１に挿入され、ＲＦＩＤ応答器３とＲＦＩＤ読み取りユニット４とが結合領域７内で互いに相対的に配置されている場合にのみ起こり得る。ベルトバックル２を識別する識別番号がＲＦＩＤ応答器３に記憶されているので、ＲＦＩＤ読み取りユニット４は、シートベルトバックル１に割り当てられたベルト舌部２が、シートベルトバックル１内に挿入されているかどうかを判定することができる。結合は、ベルト舌部２の示された向きでのみ可能であるので、ＲＦＩＤ応答器３とＲＦＩＤ読み取りユニット４との間の電磁結合は、ベルト舌部２が正しい向きでシートベルトバックル１内に挿入された場合にのみ起こり得る。
【００２７】
図４は、ＲＦＩＤ応答器２がプレート５上に配置されたベルト舌部２の代替的な実施形態を示す。
【００２８】
図７は、ベルト舌部のプレート及びハウジング８を示す。ＲＦＩＤ応答器は、ハウジング８に一体化されている。ハウジング８は、プレート５へのポジティブロック接続のためにプレート５の貫通孔に挿入することができるラッチフックを有する。
【００２９】
ハウジング８がプレート５内のラッチによってプレート５に事前に締結された後に、プラスチックオーバーモールド６が形成され、オーバーモールド６は、ハウジング８を少なくとも部分的に包囲し、したがって最終的にハウジング８及びその中に配置されたＲＦＩＤ応答器をプレート５に締結する。
【００３０】
参照記号の一覧
１      シートベルトバックル
２      ベルト舌部
３      ＲＦＩＤ応答器
４      ＲＦＩＤ読み取りユニット
５      プレート
６      オーバーモールド
７      結合領域
８      ハウジング
【図１】
2021507842.tif 000003
【図２】
2021507842.tif 000004
【図３】
2021507842.tif 000005
【図４】
2021507842.tif 000006
【図５】
2021507842.tif 000007
【図６】
2021507842.tif 000008
【図７】
2021507842.tif 000009
【図８】
2021507842.tif 000010
【国際調査報告】
2021507842.tif 000011
2021507842.tif 000012
2021507842.tif 000013
2021507842.tif 000014